(57)【要約】【課題】高級脂肪酸塩を主成分として含有する液状洗浄剤を増粘する手段として、従来用いられている界面活性剤の組み合わせによる増粘は、高級脂肪酸塩の使用感の良さを減殺することになり、また既存ポリマーによる増粘もぬるぬる感が残るものであって、増粘手段としては不満足なものであった。【解決手段】アクリル酸アルキルコポリマーと高級脂肪酸塩を含有することを特徴とする洗浄剤成成物。【特許請求の範囲】
【請求項１】
アクリル酸アルキルコポリマーと高級脂肪酸塩を含有することを特徴とする洗浄剤組成物。
【請求項２】
高級脂肪酸塩が一価アルカリ金属の塩またはトリエタノールアミンの塩である請求項１記載の洗浄剤組成物。
【発明の詳細な説明】
【技術分野】
【０００１】  本発明は使用に際して適度な粘稠性を有する洗浄剤組成物に関する。
【背景技術】
【０００２】  シャンプー、ボディーシャンプー、洗顔フォームなどの洗浄剤は、その使用上の簡便性から液状の剤型であることが多い。この中で、ボディーシャンプー、ハンドソープ、洗顔フォームなど皮膚を対象とする洗浄剤には高級脂肪酸塩、所謂石けんがその成分として配合される。【０００３】  この高級脂肪酸塩はすすぎ易さ、使用後のサッパリ感などの長所を有しているので、特に皮膚洗浄剤の主洗浄成分としてよく用いられている。しかしながら、高級脂肪酸塩の溶液は粘稠にすることが困難で、製品とした時、手に取り難く、また一度手の平に受けてもこぼれ落ち易いなど、不便なものであった。
【発明の開示】
【発明が解決しようとする課題】
【０００４】  このような高級脂肪酸塩を主成分として含有する液状洗浄剤を増粘する手段として従来、他のアニオン性界面活性剤、両性界面活性剤、非イオン界面活性剤等の組み合わせによる粘度の発現と加えて無機塩の添加による増粘、天然または合成ポリマーによる増粘が用いられてきた。しかしながら、界面活性剤の組み合わせによる増粘は、高級脂肪酸塩の使用感の良さを減殺することになり、また既存ポリマーによる増粘もぬるぬる感が残るものであって、増粘手段としては不満足なものであった。
【課題を解決するための手段】
【０００５】  本発明は、
１．アクリル酸アルキルコポリマーと高級脂肪酸塩を含有することを特徴とする洗浄剤組成物。
２．高級脂肪酸が一価アルカリ金属の塩またはトリエタノールアミンの塩である請求項１記載の洗浄剤組成物。
よりなる手段によって、前記課題を解決するものである。
【発明の効果】
【０００６】  本発明の洗浄剤組成物はアクリル酸アルキルコポリマーと高級脂肪酸塩を配合することにより、適度な粘稠性を有する洗浄剤を提供することができる。この粘稠性により、使用時飛び散ることなく、手に取り易くなり、また一度手の平に受けた時もこぼれ落ちることなく、使用勝手が良くなる。更に製剤面で、例えばスクラブ剤などを分散させた時、液面に浮いてしまうことなく、系中に安定に分散できる。
【発明を実施するための最良の形態】
【０００７】  以下、本発明の構成について詳述する。
本発明の必須成分であるアクリル酸アルキルコポリマーはアルカリで膨潤する低架橋度のアクリル系エマルションポリマーである。このものは３０％のポリマー水分散液としてノベオン（ＮＯＶＥＯＮ）社からカーボポールアクアＳＦ−１ポリマー（ＣＡＲＢＯＰＯＬＡＱＵＡ  ＳＦ−１  ＰＯＬＹＭＥＲ）なる商品名で供給されている。【０００８】  本発明において、アクリル酸アルキルコポリマーの含有量は他の成分の種類、量、ｐＨ等によって変動されるべきものであり、所望の粘稠性が得られれば、特に限定されない。粘稠液状の剤型を目的とするのであれば、有効分として０．０１〜１０重量％程度であり、更に増粘して所謂ゲル状の剤型とするのであれば、更に配合量を増すことが考えられる。【０００９】  本発明のもう一つの必須成分は高級脂肪酸塩である。高級脂肪酸塩を構成する脂肪酸は特に限定されるものではないが、炭素数１２〜２２の飽和または不飽和脂肪酸の一種または二種以上を組み合わせて得られる塩が含有される。あるいは、動物性、植物性油脂を鹸化して得られる高級脂肪酸塩を用いても良い。【００１０】  本発明においては、高級脂肪酸塩は特に限定されるものではないが、ナトリウム、カリウムなどの一価アルカリ金属の塩またはトリエタノールアミンの塩が好ましい。これらの塩はすすぎ易さ、使用後のサッパリ感、泡立ちに特に優れているからである。【００１１】  本発明においては、高級脂肪酸塩の含有量は他の成分の種類、量等によって変動されるべきものであり、特に限定されない。通常の洗浄剤組成物としては２〜５０重量％含有される。【００１２】  本発明の洗浄剤組成物には、上記必須成分に加えて、目的に応じて通常洗浄剤組成物に使用される他の成分を本発明の効果を損なわない範囲で配合することができる。かかる他の成分としては下記成分が例示され、これらの一種または二種以上が常法に準じて配合される。【００１３】  油性成分として次のものを挙げることができる。オリーブ油、ツバキ油、マカデミアナッツ油、ヒマシ油、アボガド油、小麦胚芽油、サフラワー油、綿実油、大豆油、茶実油、ヒマワリ油、月見草油、ホホバ油、モリンガ油、ヤシ油、パーム油、パーム核油、牛脂、馬脂、カカオ脂、モクロウ等の油脂類、カルナバロウ、キャンデリラロウ、ホホバ油、ミツロウ、ラノリン等のロウ類、流動パラフィン、パラフィン、ワセリン、セレシン、マイクロクリスタリンワックス、スクワラン等の炭化水素、ラウリン酸、ミリスチン酸、パルミチン酸、ステアリン酸、イソステアリン酸、ベヘニン酸、オレイン酸、リノール酸、リノレン酸等の高級脂肪酸、セチルアルコール、ステアリルアルコール、イソステアリルアルコール、２−オクチルドデカノール、バチルアルコール、ラノリンアルコール、コレステロール、フィトステロール等の高級アルコール、ミリスチン酸イソプロピル、ミリスチン酸２−オクチルドデシル、オクタン酸セチル、２−エチルヘキサン酸セチル、ペンタエリスリトールテトラエステル、リンゴ酸ジイソステアリル、クエン酸トリエチル、ステアリン酸コレステリル、イソステアリン酸フィトステアリル、エトキシジグリコールベヘネート、エトキシジグリコールオレエート等のエステル類、メチルポリシロキサン��メチルフェニルポリシロキサン、環状ジメチルシリコーン油、アルキル変性シリコーン、アミノ変性シリコーン、３次元網目構造シリコーン、シリコーンゴム等のシリコーン。【００１４】  多価アルコールとして次のものを挙げることができる。グリセリン、ジグリセリン、プロピレングリコール、ジプロピレングリコール、１，３−ブチレングリコール、ジエチレングリコール、ポリエチレングリコール、エトキシジグリコール、ヘプタンジオール、オクタンジオール等。【００１５】  糖類として次のものを挙げることができる。ソルビトール、マンニトール、ショ糖、乳糖、キシリトール、マルチトール、トレハロース等。【００１６】  高分子化合物として次のものを挙げることができる。グアーガム、クインスシード、ペクチン、マンナン、カンテン、カラギ−ナン、キサンタンガム、カードラン、ゼラチン、カゼイン、コラーゲン等の天然高分子、メチルセルロース、エチルセルロース、ヒドロキシエチルセルロース、ヒドロキシプロピルセルロース、カルボキシメチルセルロース、アルギン酸塩等の半合成高分子、ポリビニルアルコール、ポリビニルピロリドン、カルボキシビニルポリマー、ポリアクリル酸ソーダ、ＰＯＥ・ＰＯＰ共重合体等の合成高分子、ベントナイト、ラポナイト等の無機系高分子、両性メタクリル酸エステル共重合体、カチオン化セルロース、ポリ塩化ジメチルピペリジニウム、ポリ酢酸ビニル、ポリアクリル酸エステル共重合体、ポリ酢酸ビニル、ニトロセルロース、高分子シリコーン、シリコーンレジン等の被膜形成性高分子。【００１７】  界面活性剤として次のものを挙げることができる。アルキルベンゼンスルホン酸塩、アルキル硫酸エステル塩、ＰＯＥアルキルエーテル硫酸塩、アシルＮ−メチルタウリン塩、アルキルエーテルリン酸エステル塩、Ｎ−アシルアミノ酸塩、α−オレフィンスルホン酸塩、ＰＯＥアルキルエーテルカルボン酸塩等のアニオン性界面活性剤、塩化アルキルトリメチルアンモニウム、塩化ジアルキルジメチルアンモニウム、塩化ベンザルコニウム等のカチオン性界面活性剤、アルキルジメチルアミノ酢酸ベタイン、アルキルアミドプロピルジメチルアミノ酢酸ベタイン、２−アルキル−Ｎ−カルボキシメチル−Ｎ−ヒドロキシエチルイミダゾリニウムベタイン等の両性界面活性剤、グリセリルモノ脂肪酸エステル、ソルビトールモノ脂肪酸エステル、ソルビタンモノ脂肪酸エステル、砂糖脂肪酸エステル、ＰＯＥアルキルエーテル、ＰＯＥアルキルフェニルエーテル、アルカノールアミド、エチレンオキシド・プロピレンオキシドブロック共重合体、ＰＯＥ硬化ヒマシ油誘導体、アルキルアミンオキサイド等のノニオン界面活性剤。【００１８】  粉体および色剤として次のものを挙げることができる。タルク、カオリン、雲母、ケイ酸アルミニウムマグネシウム、無水ケイ酸、酸化チタン、雲母チタン、亜鉛華、ゼオライト等の無機粉体、ナイロンパウダー、ポリエチレン末、セルロースパウダー、シルクパウダー等の有機粉体、金属石鹸、無機顔料、パール顔料、有機顔料、タール色素、天然色素等。【００１９】  動植物抽出物として次のものを挙げることができる。ヒアルロン酸ナトリウム、コンドロイチン硫酸ナトリウム等のムコ多糖類、キチン・キトサン、コラーゲン、エラスチン、ペプチド等の動物抽出物、アロエエキス、オオバクエキス、オドリコソウエキス、カモミラエキス、カンゾウエキス、クルミの種子エキス、シコンエキス、シラカバエキス、セイヨウノコギリソウエキス、セイヨウハッカエキス、茶エキス、トウキエキス、ニンニクエキス、ニンジンエキス、ハマメリスエキス、ヒノキチオール、ビワ葉エキス、ブナの木の幼芽エキス、ヘチマエキス、ベニバナエキス、ヤナギランエキス、モモ葉エキス、ユーカリエキス、ローズ水等の植物抽出物。【００２０】  殺菌・防腐剤として次のものを挙げることができる。安息香酸、安息香酸ナトリウム、サリチル酸、ソルビン酸、パラオキシ安息香酸エステル（エチルパラベン、ブチルパラベン等）、トリクロロカルバニリド、フェノキシエタノール、ヘキサクロロフェン、塩化ベンザルコニウム、クロルヘキシジン、ジンクピリチオン、トリクロサン等。【００２１】  酸化防止剤として次のものを挙げることができる。没食子酸エステル、亜硫酸水素ナトリウム等。酸化防止助剤としては次のものを挙げることができる。リン酸、クエン酸、マレイン酸、マロン酸、コハク酸、フマール酸、ケファリン、フィチン酸、ＥＤＴＡ等。【００２２】  金属封鎖剤として次のものを挙げることができる。エデト酸塩、ヒドロキシエタンジホスホン酸、リン酸、クエン酸、コハク酸、フィチン酸等。【００２３】  紫外線吸収剤として次のものを挙げることができる。２−ヒドロキシ−４−メトキシベンゾフェノン、２−ヒドロキシ−４−メトキシベンゾフェノン−５−スルホン酸等のベンゾフェノン誘導体、パラアミノ安息香酸、パラジメチルアミノ安息香酸オクチル等のパラアミノ安息香酸誘導体、パラメトキシ桂皮酸オクチル、ジパラメトキシ桂皮酸モノ−２−エチルヘキサン酸グリセリル等のメトキシ桂皮酸誘導体、サリチル酸オクチル等のサリチル酸誘導体、ウロカニン酸等。【００２４】  各種薬剤として次のものを挙げることができる。アルブチン、コウジ酸、ビタミンＣ類等の美白剤、センブリエキス、γ−オリザノール、トウガラシチンキ、ニコチン酸ベンジルエステル、エストラジオール、エチニルエストラジオール、パントテン酸、感光素３０１等の育毛用薬剤、β−グリチルレチン酸、グリチルリチン酸誘導体、アラントイン、ε−アミノカプロン酸、酸化亜鉛、硫酸アルミニウム、タンニン酸、乳酸、メントール、副腎皮質ホルモン、抗ヒスタミン剤等の肌荒れ防止用薬剤、イオウ、サリチル酸、レゾルシン、塩化ベンザルコニウム、ハロカルバン等のニキビ用薬剤、クロルヒドロキシアルミニウム、塩化アルミニウム、酸化亜鉛等の制汗剤、ビタミンＡ及びその誘導体、ビタミンＢ６塩酸塩、ビタミンＢ６トリパルミテート、ビタミンＢ６ジオクタノエート、ビタミンＢ２及びその誘導体、ビタミンＢ１２、ビタミンＢ１５及びその誘導体等のビタミンＢ類、アスコルビン酸、アスコルビン酸リン酸エステル（塩）、アスコルビン酸ジパルミテート等のビタミンＣ類、α−トコフェロール、β−トコフェロール、γ−トコフェロール、ビタミンＥアセテート、ビタミンＥニコチネート等のビタミンＥ類、ビタミンＤ類、ビタミンＨ、パントテン酸、パンテチン等のビタミン類、グリシン、アラ��ン、バリン、ロイシン、セリン、トレオニン、フェニルアラニン、チロシン、アスパラギン酸、アスパラギン、グルタミン、タウリン、アルギニン、ヒスチジン等のアミノ酸とこれらの塩酸塩。【００２５】  本発明の洗浄剤組成物の剤型は粘稠液状、乳液状、ゲル状、クリーム状、エアゾールフォーム状、粉末・スクラブ剤分散系、布帛含浸タイプ等の形態のボディーシャンプー、ハンドソープ、洗顔フォーム等に展開することができる。
【実施例１】
【００２６】  次に本発明について、実施例を挙げてさらに具体的に説明する。なお、本発明はこれらの実施例のみに限定されるものではない。配合量は特に断りがない限り重量％で示す。【００２７】＜ボディーシャンプー＞
ラウリン酸                                              １０．０
ミリスチン酸                                              ２．０
パルミチン酸                                              ２．０
オレイン酸                                                ６．０
水酸化カリウム（８５％）                                  ６．０
プロピレングリコール                                      ５．０
コカミドプロピルベタイン（３０％水溶液）                  ３．０
コアカミドＭＥＡ                                          １．０
ジステアリン酸グリコール                                  １．５
カーボポールアクアＳＦ−１ポリマー                        ５．０
金属封鎖剤                                                  適量
香料、色素                                                  適量
精製水                                                  ｔｏ１００
このボディーシャンプーはディスペンサーから手に取った時、手の平から落ちこぼれることもなく、すすぎ易くサッパリとした使用感のものであった。
【実施例２】
【００２８】＜ハンドソープ＞
ラウリン酸                                                ３．０
ミリスチン酸                                              １．０
オレイン酸                                                ３．０
水酸化カリウム（８５％）                                  ２．０
プロピレングリコール                                      ５．０
コアカミドＤＥＡ                                          １．０
カーボポールアクアＳＦ−１ポリマー                        ２．０
金属封鎖剤                                                  適量
香料、色素                                                  適量
精製水                                                  ｔｏ１００
このハンドソープはディスペンサーから手に取った時、飛び散ることなく手の平に受けることができて、落ちこぼれることもなく、また、すすぎ易く、後残り感のないものであった。
【実施例３】
【００２９】＜スクラブ剤入りボディーシャンプー＞
ラウリン酸                                              １０．０
ミリスチン酸                                              ２．０
パルミチン酸                                              ２．０
オレイン酸                                                ６．０
水酸化カリウム（８５％）                                  ６．５
１，３−ブチレングリコール                                ５．０
コカミドプロピルベタイン（３０％水溶液）                  ３．０
コアカミドＤＥＡ                                          １．０
カーボポールアクアＳＦ−１ポリマー                      １２．０
スクラブ剤（フローラビーズ＊））                          ３．０
金属封鎖剤                                                  適量
香料                                                        適量
精製水                                                  ｔｏ１００
＊）Ｆｌｏｒａｔｅｃｈ社  「Ｆｌｏｒａｂｅａｄｓ」
このボディーシャンプーはスクラブ剤が液面に浮いてしまうことなく安定に系中に分散しており、また、ディスペンサーから手に取った時、手の平から落ちこぼれることもなく、すすぎ易くサッパリとした使用感のものであった。